(57)【要約】【課題】ノズルを介して流れ出す液体の流量を漸減させる細かな調整、および、漸増させる細かな調整を、共に適切になし得るようにする。【解決手段】液体Ｗの供給管Ｐに入れ込まれるコネクタ体１の管状部分１０は供給管Ｐへの入れ込み先側となる管先端１０ａに向かうに連れて次第に内径を狭めるように構成されている。アジャスター体２はコネクタ体１の管状部分１０に入れ込まれる軸部分２０を有している。アジャスター体２の軸部分２０はコネクタ体１の管状部分１０への入れ込み先側となる軸先端２０ａに向かうに連れて次第に外径を細めるように構成されている。軸部分２０はコネクタ体１の管状部分１０の内周面１０ｃと軸部分２０の外周面２０ｂとの間に、管状部分１０の長さ方向に亘って、液体Ｗの流路となる微細な隙間Ｓを形成可能とする太さを持つように構成されている。【選択図】          図３
2005013897.tif 000002
【特許請求の範囲】
【請求項１】
筒両端を開放させた筒状をなすコネクタ体と、
このコネクタ体の筒一端側からこのコネクタ体内にこのコネクタ体の筒軸線に沿って進退調整可能に入れ込まれる軸状をなすアジャスター体とを備えており、
コネクタ体は、液体の供給管に入れ込まれる管状部分を有していると共に、
このコネクタ体の管状部分は、供給管への入れ込み先側となる管先端に向かうに連れて次第に内径を狭めるように構成されており、
アジャスター体は、コネクタ体の管状部分に管先端側と反対の管根本側から入れ込まれる軸部分を有していると共に、
このアジャスター体の軸部分は、コネクタ体の管状部分への入れ込み先側となる軸先端に向かうに連れて次第に外径を細めるように構成されていると共に、コネクタ体の管状部分の内周面と軸部分の外周面との間に、この管状部分の長さ方向に亘って、液体の流路となる微細な隙間を形成可能とする太さを持つように構成されていることを特徴とする点滴ノズル。
【請求項２】
コネクタ体が、管状部分に内部空間を連通させるようにこの管状部分の管根本に連接されると共に、内径を管状部分の内径よりも大きくした太管状部分を有しており、コネクタ体の内部において管状部分と太管状部分との間に内側段差部が形成されており、
アジャスター体が、軸部分の軸根本に連接されると共に、外径を軸部分の外径よりも大きくした基部部分を有しており、軸部分と基部部分との間に段差部が形成されており、
コネクタ体内にアジャスター体が進入され切った位置で、コネクタ体の内側段差部にアジャスター体の段差部が液密に押しつけさせられるようにしてあることを特徴とする請求項１記載の点滴ノズル。
【請求項３】
コネクタ体及びアジャスター体のいずれか一方が、他方を構成する材料より柔らかいプラスチック材料によって構成してあることを特徴とする請求項２記載の点滴ノズル。
【請求項４】
コネクタ体の太管状部分の外側部及びアジャスター体の基部部分の外側部にそれぞれ、把持用突部が形成してあることを特徴とする請求項２又は請求項３記載の点滴ノズル。
【発明の詳細な説明】
【０００１】
【発明の属する技術分野】
この発明は、液体の供給管の管端に取り付けられて、この供給管を通じて供給される液体を、滴下させるようにするために用いられるノズルの改良に関する。
【０００２】
【従来の技術】
細チューブの先端に取り付けたノズル本体のラッパ状部に対し、弁座を進退させて、このノズル本体から流れ出す液体の流量を調整するようにしたノズルとして、特許文献１に示されるものがある。
【０００３】
【特許文献１】
特公昭５６−５０９２３号公報
【０００４】
【発明が解決しようとする課題】
しかるに、かかる従来のノズルにあっては、弁座をラッパ状部に近づければ近づけるほど、確かにノズル本体から流れ出す液体の流量を減少させることはできるが、細かな流量調整はなし難い構造のものであった。すなわち、かかる従来のノズルにあっては、弁座をラッパ状部に相当に近接させない限りは、細チューブ側の流体圧に大きな変化を生じさせ難いものであり、ノズル本体から流れ出す液体の流量を漸減させる細かな調整、漸増させる細かな調整共に、適切にはなし難いものであった。とりわけ、ノズル本体から液体を適宜の量で滴下させるような調整はなし難いものであった。
【０００５】
そこでこの発明は、この種のノズルにおいて、ノズルを介して流れ出す液体の流量を漸減させる細かな調整、および、漸増させる細かな調整を、共に適切になし得るようにし、特に、ノズルから液体を適宜の量で適切に滴下できるようにすることを主たる目的とする。
【０００６】
【課題を解決するための手段】
前記目的を達成するために、請求項１記載の発明にあっては、点滴ノズルが以下の（１）〜（６）の構成を備えたものとした。
（１）筒両端を開放させた筒状をなすコネクタ体と、
（２）このコネクタ体の筒一端側からこのコネクタ体内にこのコネクタ体の筒軸線に沿って進退調整可能に入れ込まれる軸状をなすアジャスター体とを備えており、
（３）コネクタ体は、液体の供給管に入れ込まれる管状部分を有していると共に、
（４）このコネクタ体の管状部分は、供給管への入れ込み先側となる管先端に向かうに連れて次第に内径を狭めるように構成されており、
（５）アジャスター体は、コネクタ体の管状部分に管先端側と反対の管根本側から入れ込まれる軸部分を有していると共に、
（６）このアジャスター体の軸部分は、コネクタ体の管状部分への入れ込み先側となる軸先端に向かうに連れて次第に外径を細めるように構成されていると共に、コネクタ体の管状部分の内周面と軸部分の外周面との間に、この管状部分の長さ方向に亘って、液体の流路となる微細な隙間を形成可能とする太さを持つように構成されている。
【０００７】
かかる構成によれば、
（１）供給管にコネクタ体の管状部分を入れ込ませることにより、より具体的には、供給管の開放端からこの供給管内にコネクタ体の管状部分を入れ込ませることにより、この供給管の開放端を点滴ノズルによって塞ぐようにして、この供給管に簡単に取り付けることができる。
（２）アジャスター体の軸部分の外周面とコネクタ体の管状部分の内周面との間には、この管状部分の長さ方向に亘って、液体の流路となる微細な隙間が形成されることから、供給管を通じて供給されてくる液体はこのように長く形成された隙間の作用によってこの隙間を通じて少しづつコネクタ体の筒一端側に移送され、このコネクタ体の筒一端側から少しづつ流出される。
（３）アジャスター体はコネクタ体内にこのコネクタ体の筒軸線に沿って進退調整可能に入れ込まれていると共に、コネクタ体の管状部分は供給管への入れ込み先側となる管先端に向かうに連れて次第に内径を狭めるように構成され、かつ、アジャスター体の軸部分はコネクタ体の管状部分への入れ込み先側となる軸先端に向かうに連れて次第に外径を細めるように構成されていることから、コネクタ体内にアジャスター体を入れ込めば入れ込むほど前記隙間を少しづつ狭めることができ、さらには、軸部分の外周面と管状部分の内周面とをいずれかの箇所において最終的には液密に圧接させることができ、この隙間を通じて外部に流出される液体の量を減じる微調整を、さらには全く流出させない調整を適切に行うことができる。これとは逆に、コネクタ体内からアジャスター体を抜け出し方向に移動させればさせるほど前記隙間は広げられることとなる。すなわち、かかる点滴ノズルによれば、供給管を通じて供給されてくる液体の流出量をアジャスター体の進退操作によって適切に微調整することができ、特に、この液体を常時滴の状態として流出させるようにすることができる。
【０００８】
また、請求項２記載の発明にあっては、請求項１記載の点滴ノズルにおけるコネクタ体が、管状部分に内部空間を連通させるようにこの管状部分の管根本に連接されると共に、内径を管状部分の内径よりも大きくした太管状部分を有しており、コネクタ体の内部において管状部分と太管状部分との間に内側段差部が形成されており、
アジャスター体が、軸部分の軸根本に連接されると共に、外径を軸部分の外径よりも大きくした基部部分を有しており、軸部分と基部部分との間に段差部が形成されており、
コネクタ体内にアジャスター体が進入され切った位置で、コネクタ体の内側段差部にアジャスター体の段差部が液密に押しつけさせられるようにしてあることを特徴としている。
【０００９】
かかる構成によれば、コネクタ体内にアジャスター体を進入させ切ることにより、コネクタ体の内側段差部とアジャスター体の段差部との圧接位置において、供給管を通じて供給されてくる液体を外部に流出させないように確実にシールすることができる。
【００１０】
また、請求項３記載の発明にあっては、請求項２記載の点滴ノズルにおけるコネクタ体及びアジャスター体のいずれか一方が、他方を構成する材料より柔らかいプラスチック材料によって構成してあることを特徴としている。
【００１１】
かかる構成によれば、コネクタ体内にアジャスター体を入れ込み切らせた位置における、コネクタ体の内側段差部へのアジャスター体の段差部の圧接にあたって、両段差部のいずれか一方を弾性的に変形させることができ、この変形によって両段差部での液体のシール性を一層高めさせることができる。
【００１２】
また、請求項４記載の発明にあっては、請求項２又は請求項３記載の点滴ノズルにおけるコネクタ体の太管状部分の外側部及びアジャスター体の基部部分の外側部にそれぞれ、把持用突部が形成してあることを特徴としている。
【００１３】
かかる構成によれば、コネクタ体の把持用突部を一方の手指で把持し、かつ、アジャスター体の把持用突部を他方の手指で把持して、アジャスター体の進退調整をなすことができ、この進退調整を容易に行うことができる。
【００１４】
【発明の実施の形態】
以下、図１ないし図１１に基づいて、この発明の典型的な実施の形態について説明する。
【００１５】
なお、ここで図１および図３は、実施の形態にかかる点滴ノズルＮを供給管Ｐに取り付けた使用状態を、図２および図４ないし図９は、かかる点滴ノズルＮのみをそれぞれ示しており、また、図１０および図１１は、かかる点滴ノズルＮを構成するアジャスター体２をそれぞれ示している。
【００１６】
この実施の形態にかかる点滴ノズルＮは、液体Ｗの供給管Ｐの管端に取り付けられて、この供給管Ｐを通じて供給される液体Ｗを、滴下させるようにするために用いられるものである。
【００１７】
かかる点滴ノズルＮは、例えば、草花、野菜、果樹などに、水、薬剤の含まれた水、液肥などの液体Ｗを供給する供給管Ｐの管端に取り付けられて、この供給管Ｐを通じて供給される液体Ｗを、おおむね滴Ｗａの形でこうした草花などに少しづつ供給させるなどの用途で用いられるものである。
【００１８】
こうした供給管Ｐとしては、パイプやチューブなどが予定される。図示の例にかかる点滴ノズルＮにあっては、幹チューブＭＰに上端を連通状態に接続されて垂れ下がる可撓性を備えたチューブＰａの下端の管端に取り付けて用い易い構成のものとなっている。
【００１９】
かかる点滴ノズルＮは、コネクタ体１と、アジャスター体２とを備えている。
【００２０】
コネクタ体１は、筒両端を開放させた筒状をなすように構成されている。一方、アジャスター体２は、かかるコネクタ体１の筒一端側からこのコネクタ体１内にこのコネクタ体１の筒軸線に沿って進退調整可能に入れ込まれる軸状をなすように構成されている。
【００２１】
また、コネクタ体１は、液体Ｗの供給管Ｐに入れ込まれる管状部分１０を有していると共に、このコネクタ体１の管状部分１０は、供給管Ｐへの入れ込み先側となる管先端１０ａに向かうに連れて次第に内径を狭めるように構成されている。
【００２２】
また、アジャスター体２は、コネクタ体１の管状部分１０に管先端１０ａ側と反対の管根本１０ｂ側から入れ込まれる軸部分２０を有していると共に、
このアジャスター体２の軸部分２０は、コネクタ体１の管状部分１０への入れ込み先側となる軸先端２０ａに向かうに連れて次第に外径を細めるように構成されていると共に、コネクタ体１の管状部分１０の内周面１０ｃと軸部分２０の外周面２０ｂとの間に、この管状部分１０の長さ方向に亘って、液体Ｗの流路となる微細な隙間Ｓを形成可能とする太さを持つように構成されている。
【００２３】
これにより、かかる点滴ノズルＮにあっては、
（１）供給管Ｐにコネクタ体１の管状部分１０を入れ込ませることにより、より具体的には、供給管Ｐの開放端Ｐｃからこの供給管Ｐ内にコネクタ体１の管状部分１０を入れ込ませることにより、この供給管Ｐの開放端Ｐｃを点滴ノズルＮによって塞ぐようにして、この供給管Ｐに簡単に取り付けることができる。
（２）アジャスター体２の軸部分２０の外周面２０ｂとコネクタ体１の管状部分１０の内周面１０ｃとの間には、この管状部分１０の長さ方向に亘って、液体Ｗの流路となる微細な隙間Ｓが形成されることから、供給管Ｐを通じて供給されてくる液体Ｗはこのように長く形成された隙間Ｓの作用によってこの隙間Ｓを通じて少しづつコネクタ体１の筒一端側に移送され、このコネクタ体１の筒一端側から少しづつ流出される。
（３）アジャスター体２はコネクタ体１内にこのコネクタ体１の筒軸線に沿って進退調整可能に入れ込まれていると共に、コネクタ体１の管状部分１０は供給管Ｐへの入れ込み先側となる管先端１０ａに向かうに連れて次第に内径を狭めるように構成され、かつ、アジャスター体２の軸部分２０はコネクタ体１の管状部分１０への入れ込み先側となる軸先端２０ａに向かうに連れて次第に外径を細めるように構成されていることから、コネクタ体１内にアジャスター体２を入れ込めば入れ込むほど前記隙間Ｓを少しづつ狭めることができ、さらには、軸部分２０の外周面２０ｂと管状部分１０の内周面１０ｃとをいずれかの箇所において最終的には液密に圧接させることができ、この隙間Ｓを通じて外部に流出される液体Ｗの量を減じる微調整を、さらには全く流出させない調整を適切に行うことができる。これとは逆に、コネクタ体１内からアジャスター体２を抜け出し方向に移動させればさせるほど前記隙間Ｓは広げられることとなる。すなわち、この実施の形態かかる点滴ノズルＮによれば、供給管Ｐを通じて供給されてくる液体Ｗの流出量をアジャスター体２の進退操作によって適切に微調整することができ、特に、この液体Ｗを常時滴Ｗａの状態として流出させるようにすることができる。
【００２４】
また、この実施の形態にあっては、コネクタ体１が、管状部分１０に内部空間を連通させるようにこの管状部分１０の管根本１０ｂに連接されると共に、内径を管状部分１０の内径よりも大きくした太管状部分１１を有しており、コネクタ体１の内部において管状部分１０と太管状部分１１との間に内側段差部１２が形成されており、
アジャスター体２が、軸部分２０の軸根本に連接されると共に、外径を軸部分２０の外径よりも大きくした基部部分２１を有しており、軸部分２０と基部部分２１との間に段差部２２が形成されており、
コネクタ体１内にアジャスター体２が進入され切った位置で、コネクタ体１の内側段差部１２にアジャスター体２の段差部２２が液密に押しつけさせられるようにしてある。（図８）
【００２５】
これにより、この実施の形態にかかる点滴ノズルＮにあっては、コネクタ体１内にアジャスター体２を進入させ切ることにより、コネクタ体１の内側段差部１２とアジャスター体２の段差部２２との圧接位置において、供給管Ｐを通じて供給されてくる液体Ｗを外部に流出させないように確実にシールすることができる。
【００２６】
具体的には、図示の例にあっては、コネクタ体１は、管先端１０ａおよび管根本１０ｂを共に開放させた円筒状をなす管状部分１０と、
筒両端をそれぞれ開放させた円筒状をなす太管状部分１１とを備えている。
【００２７】
太管状部分１１は、内外径共に、管状部分１０の内外径よりも大きくするように構成されている。また、管状部分１０と太管状部分１１とは、管状部分１０の管根本１０ｂと太管状部分１１の筒一端とを、管状部分１０の内部空間に太管状部分１１の内部空間を連通させるようにして、一体に接合されている。
【００２８】
太管状部分１１と管状部分１０との接合箇所には、コネクタ体１の外側において管状部分１０の管先端１０ａ側を向いた外側段差部１３が形成されると共に、コネクタ体１の内側において、太管状部分１１の筒他端側を向いた内側段差部１２が形成されている。いずれの段差部２２も、コネクタ体１の筒軸線にほぼ直交する向きの面を持つようになっており、かつ、この筒軸線を巡る周回状をなす面を持つようになっている。
【００２９】
管状部分１０は、管先端１０ａ側に向かうに連れて次第に内径を狭めるように構成されている。すなわち、管状部分１０は、その内周面１０ｃを、管根本１０ｂ側から管先端１０ａ側に向かうに連れて次第にコネクタ体１の筒軸線に近づく向きに緩やかに傾斜させた仮想の円錐のテーパー面に沿ったテーパー面としている。
【００３０】
かかる管状部分１０が、供給管Ｐの管端Ｐｃから供給管Ｐ内に入れ込まれて、この供給管Ｐの管端Ｐｃに点滴ノズルＮが取り付けられるようになっている。図示の例では、供給管Ｐの管端、すなわち、開放端Ｐｃが前記外側段差部１３に突き当てられる位置まで、この供給管Ｐ内に管状部分１０を入れ込ませることができるようになっている。（図３）
【００３１】
また、図示の例では、太管状部分１１の内面部に、雌ねじ部１１ａが形成されている。この雌ねじ部１１ａは、太管状部分１１の筒他端から始まり、前記内側段差部１２との間にコネクター体の筒軸線方向において間隔を開けた位置で終了している。太管状部分１１における内側段差部１２と雌ねじ部１１ａの終端との間には、無ねじ部１１ｂが形成されている。
【００３２】
また、図示の例にあっては、前記内側段差部１２における管状部分１０の管根本１０ｂ側の管口を巡る箇所に、周回突部１２ａが形成されている。図示の例では、コネクタ体１内にアジャスター体２を入れ込み切った位置で、アジャスター体２の段差部２２がこの周回突部１２ａに圧接され、これにより、供給管Ｐを通じて供給されてくる液体Ｗを外部に流出させないように確実にシールするようになっている。
【００３３】
また、図示の例では、アジャスター体２は、円柱状をなす軸部分２０と、円筒状をなす基部部分２１とを備えている。
【００３４】
基部部分２１は、軸部分２０の外径よりも外径を大きくするように構成されている。また、軸部分２０と基部部分２１とは、軸部分２０の軸根本と基部部分２１の閉塞された筒一端とを、一体に接合させることにより、一体化されている。
【００３５】
基部部分２１と軸部分２０との接合箇所には、軸部分２０の軸先端２０ａ側を向いた段差部２２が形成されている。この段差部２２は、アジャスター体２の軸線にほぼ直交する向きの面を持つようになっており、かつ、この軸線を巡る周回状をなす面を持つようになっている。
【００３６】
軸部分２０は、軸先端２０ａ側に向かうに連れて次第に外径を細めるように構成されている。すなわち、軸部分２０は、その外周面２０ｂを、軸根本側から軸先端２０ａ側に向かうに連れて次第にアジャスター体２の軸線に近づく向きに緩やかに傾斜させた仮想の円錐のテーパー面に沿ったテーパー面としている。
【００３７】
図示の例では、アジャスター体２の軸部分２０の外周面２０ｂの傾斜角とコネクタ体１の管状部分１０の内周面１０ｃの傾斜角とがほぼ等しくなるようにしてある。これにより、図示の例にあっては、アジャスター体２の軸部分２０の外周面２０ｂとコネクタ体１の管状部分１０の内周面１０ｃとの間には、この管状部の長さ方向に亘って、このコネクタ体１の筒軸線を巡るいわば極薄肉のチューブ状をなす微細な隙間Ｓが形成されるようになっている。
【００３８】
かかるアジャスター体２の軸部分２０は、コネクタ体１の管状部分１０に対して、アジャスター体２の段差部２２がコネクタ体１の内側段差部１２に突き当てられる位置まで入れ込めるようになっている。図示の例では、アジャスター体２の軸部分２０は、コネクタ体１の管状部分１０よりも全長を長くするように構成されており、コネクタ体１内にアジャスター体２を入れ込み切った位置において、コネクタ体１の管状部分１０の管先端１０ａからアジャスター体２の軸部分２０の軸先端２０ａ側が突き出すようになっている。
【００３９】
また、図示の例では、アジャスター体２の基部部分２１の外面部に、雄ねじ部２１ａが形成されている。この雄ねじ部２１ａは、基部部分２１の筒他端から始まり、前記段差部２２との間にアジャスター体２の軸線方向において間隔を開けた位置で終了している。基部部分２１における段差部２２と雄ねじ部２１ａの終端との間には、無ねじ部２１ｂが形成されている。そして、図示の例にあっては、コネクタ体１の筒他端、つまり、太管状部分１１における管状部分１０との連接側と反対の筒端から、アジャスター体２が軸部分２０の軸先端２０ａを先にしてコネクタ体１内に入れ込めるようになっていると共に、このように入れ込まれるアジャスター体２の基部部分２１がコネクタ体１の太管状部分１１に入り込んだ位置からは、この太管状部分１１に形成された前記雌ねじ部１１ａに前記雄ねじ部２１ａをかみ合わせながらアジャスター体２を螺進操作、あるいは、相対的に螺進操作することによって、徐々にコネクタ体１内にアジャスター体２が進入して行くようになっている。アジャスター体２を螺退操作、あるいは、相対的に螺退操作すれば、アジャスター体２は徐々にコネクタ体１内から抜け出されることとなる。すなわち、図示の例にあっては、アジャスター体２の螺進によってコネクタ体１の管状部分１０内に入り込んでいるアジャスター体２の軸部分２０が徐々により先まで進入し、これにより軸部分２０の外周面２０ｂと管状部分１０の内周面１０ｃ間に形成された前記隙間Ｓが徐々に狭められ、これとは逆に、アジャスター体２の螺退によってコネクタ体１の管状部分１０内に入り込んでいるアジャスター体２の軸部分２０が徐々に退き、これにより軸部分２０の外周面２０ｂと管状部分１０の内周面１０ｃ間に形成された前記隙間Ｓが徐々に広がられるようになっており、この螺進退によってかかる隙間Ｓを通じて流出される液体Ｗの流量を細かく微調整できるようになっている。つまり、図示の例にあっては、かかる雄ねじ部２１ａと雌ねじ部１１ａのかみ合わせによって、コネクタ体１に対してアジャスター体２が進退調整可能に組み合わされている。
【００４０】
図示の例では、かかる隙間Ｓを通じてコネクタ体１の管状部分１０からコネクタ体１の太管状部分１１に入り込んできた液体Ｗは、アジャスター体２の基部部分２１の内部に入り込んでこの基部部分２１における軸部分２０との連接側と反対の筒他端側から外部に流出するようになっている。
【００４１】
具体的には、図示の例では、基部部分２１の筒他端は開放されており、この開放された筒他端が液体Ｗの流出部２１ｃとなるようにしてある。それと共に、基部部分２１の無ねじ部２１ｂに、基部部分２１の内部空間に連通した貫通孔２１ｄが形成されている。また、この貫通孔２１ｄとアジャスター体２の段差部２２との間に、この段差部２２において溝一端を開放させ、かつ、貫通孔２１ｄの孔口に溝他端を連通させた液体Ｗの案内溝２１ｅが形成されている。
【００４２】
図示の例では、アジャスター体２の無ねじ部２１ｂの外径とコネクタ体１の無ねじ部１１ｂの内径とはほぼ等しく、両者はそれより先では前記雌ねじ部１１ａに雄ねじ部２１ａをかみ合わせて組み合わされているが、アジャスター体２をコネクタ体１内に入れ込み切らせない限り前記内側段差部１２と段差部２２との間には間隔ｘが残されることから、管状部分１０を通じて太管状部分１１に入り込んできた液体Ｗはこの間隔ｘに先ず入り込み、次いで前記案内溝２１ｅを通じて貫通孔２１ｄからアジャスター体２の基部部分２１の内部に入り込み、前記流出部２１ｃを通じて外部に流出される。（図３）
【００４３】
かかる液体Ｗの流出は、図示はしないが、例えば、アジャスター体２の段差部２２において溝一端を開放させ、かつ、アジャスター体２の基部部分２１における軸部分２０との連接側と反対の端部において溝他端を開放させた案内溝を、雄ねじ部２１ａの形成箇所を含めて、形成させるようにすることによっても確保させることができる。
【００４４】
コネクタ体１及びアジャスター体２のいずれか一方を、他方を構成する材料より柔らかいプラスチック材料によって構成しておくこともある。
【００４５】
このようにしておけば、コネクタ体１内にアジャスター体２を入れ込み切らせた位置における、コネクタ体１の内側段差部１２へのアジャスター体２の段差部２２の圧接にあたって、両段差部１２、２２のいずれか一方を弾性的に変形させることができ、この変形によって両段差部１２、２２での液体Ｗのシール性を一層高めさせることができる。
【００４６】
図示の例にあっては、コネクタ体１をアジャスター体２を構成する材料より柔らかいプラスチック材料によって構成している。これにより、図示の例にあっては、コネクタ体１内にアジャスター体２を入れ込み切らせた位置において、前記段差部２２に内側段差部１２における周回突部１２ａを押しつぶすように弾性変形させて密着させることができるようになっており、両段差部１２、２２での液体Ｗのシール性が効果的に高められている。
【００４７】
コネクタ体１の太管状部分１１の外側部及びアジャスター体２の基部部分２１の外側部にそれぞれ、把持用突部１４、２３を形成するようにしておくこともある。
【００４８】
このようにしておけば、コネクタ体１の把持用突部１４を一方の手指で把持し、かつ、アジャスター体２の把持用突部２３を他方の手指で把持して、アジャスター体２の進退調整をなすことができ、この進退調整を容易に行うことができる。
【００４９】
図示の例にあっては、コネクタ体１の太管状部分１１の側部であって、その直径方向両側位置にそれぞれ、このコネクタ体１の筒軸線に対しほぼ直交する向きに突き出す把持用突部１４が設けられていると共に、
アジャスター体２の基部部分２１の側部のうち、雄ねじ部２１ａの形成位置と流出部２１ｃの開口位置との間であって、その直径方向両側位置にそれぞれ、このアジャスター体２の軸線に対しほぼ直交する向きに突き出す把持用突部２３が設けられている。
【００５０】
具体的には、図示の例では、アジャスター体２の雄ねじ部２１ａは、このアジャスター体２の基部部分２１における段差部２２の形成側と反対の側に形成された周回鍔２４の形成箇所において終了している。それと共に、この周回鍔２４よりも先となるアジャスター体２の基部部分２１の側部に前記把持用突部２３が形成されている。
【００５１】
これにより、図示の例にあっては、コネクタ体１の一対の把持用突部１４、１４に手指を掛け、かつ、アジャスター体２の一対の把持用突部２３、２３に手指を掛けた状態で、円滑にアジャスター体２を捻り回し操作、または、相対的に捻り回し操作することができ、前記雌ねじ部１１ａに雄ねじ部２１ａをかみ合わせて螺進退可能にコネクタ体１に組み合わされているアジャスター体２のこの螺進退のための捻回をスムースに行えるようになっている。
【００５２】
【発明の効果】
この発明にかかる点滴ノズルによれば、液体の供給管によって供給されてノズルを介して流れ出す液体の流量を漸減させる細かな調整、および、漸増させる細かな調整を、共に適切になすことができる。特に、ノズルから液体を適宜の量で適切に滴下できるようにすることができる。
【図面の簡単な説明】
【図１】点滴ノズルＮの使用状態を示した斜視図
【図２】点滴ノズルＮの一部破断斜視図
【図３】点滴ノズルＮの使用状態を示した一部破断正面図
【図４】点滴ノズルＮの正面図
【図５】同平面図
【図６】同右側面図
【図７】同底面図
【図８】図５におけるＡ−Ａ線断面図
【図９】図５におけるＢ−Ｂ線断面図
【図１０】アジャスター体２の正面図
【図１１】同平面図
【符号の説明】
Ｎ  点滴ノズル
Ｐ  供給管
Ｓ  隙間
Ｗ  液体
１  コネクタ体
１０  管状部分
１０ａ  管先端
１０ｃ  内周面
２  アジャスター体
２０  軸部分
２０ａ  軸先端
２０ｂ  外周面
【図１】
2005013897.tif 000003
【図２】
2005013897.tif 000004
【図３】
2005013897.tif 000005
【図４】
2005013897.tif 000006
【図５】
2005013897.tif 000007
【図６】
2005013897.tif 000008
【図７】
2005013897.tif 000009
【図８】
2005013897.tif 000010
【図９】
2005013897.tif 000011
【図１０】
2005013897.tif 000012
【図１１】
2005013897.tif 000013